(57)【要約】      （修正有）【課題】写真に収められた人物や行事を回顧する上で十分な情報量を備えたアルバムを提供する。【解決手段】記念写真８を収容するアルバム１は、開口部７ａを介して露出する動画表示部９ｄを備え、表表紙２の裏面２ａ及び本体部７の表面７ｂに貼付された記念写真８に収められた人物又は行事に関連する音声及び動画を再生可能な動画再生装置９を備えている。【選択図】図１
2017024341.tif 000002
【特許請求の範囲】
【請求項１】
表表紙と裏表紙とが折り畳み可能に連結されて、写真を収容するアルバムにおいて、
前記裏表紙の裏面に装着され、開口部を有する所定厚みの本体部と、
前記表表紙の裏面及び前記本体部の表面にそれぞれ貼付された写真と、
前記開口部を介して露出する動画表示部を備え、前記本体部内に収容されて、前記写真に収められた人物又は行事に関連する音声及び動画を再生する動画再生装置と、
を備えていることを特徴とするアルバム。
【請求項２】
表表紙と裏表紙と中表紙とが折り畳み可能に連結されて、写真を収容するアルバムにおいて、
前記裏表紙の裏面に装着され、開口部を有する所定厚みの本体部と、
前記表表紙の裏面、前記中表紙の裏面及び前記本体部の表面にそれぞれ貼付された写真と、
前記開口部を介して露出する動画表示部を備え、前記本体部内に収容されて、前記写真に収められた人物又は行事に関連する音声及び動画を再生可能な動画再生装置と、
を備えていることを特徴とするアルバム。
【発明の詳細な説明】
【技術分野】
【０００１】
本発明は、アルバムに関し、特に、記念写真を収容するアルバムに関するものである。
【背景技術】
【０００２】
従来より、お宮参り、七五三、入学式、成人式、冠婚葬祭等の行事に際して撮影され、人物や行事の様子が収められた記念写真を保存、閲覧するものとしてアルバムが用いられている。アルバムの形態としては、例えば、ブックタイプのものや、三つ折りタイプのものが知られている。
【０００３】
特許文献１には、台紙に故人の写真を接着すると共に、表表紙に故人の生前の肉声を再生する音声再生機を配置したアルバムが開示されている。
【先行技術文献】
【特許文献】
【０００４】
【特許文献１】特開２００２−３６２０６１号公報
【発明の概要】
【発明が解決しようとする課題】
【０００５】
しかしながら、上述したような特許文献１記載のアルバムでは、写真の収容枚数には限度があるため、アルバムの閲覧者が写真に収められた人物や行事を回顧する上で十分な枚数の写真を収容することが難しいという問題があった。
【０００６】
そこで、本発明はこのような従来の課題に鑑みてなされたものであり、写真に収められた人物や行事を回顧する上で十分な情報量を備えたアルバムを提供することを目的とする。
【課題を解決するための手段】
【０００７】
本発明は上記目的を達成するために提案されたものであり、請求項１記載の発明は、表表紙と裏表紙とが折り畳み可能に連結されて、写真を収容するアルバムにおいて、前記裏表紙の裏面に装着され、開口部を有する所定厚みの本体部と、前記表表紙の裏面及び前記本体部の表面にそれぞれ貼付された写真と、前記開口部を介して露出する動画表示部を備え、前記本体部内に収容され、前記写真に収められた人物又は行事に関連する音声及び動画を前記開口部を介して再生可能な動画再生装置と、を備えているアルバムを提供する。
【０００８】
この構成によれば、アルバムの閲覧者は、表表紙と本体部とに収容された写真と共に、動画再生装置が再生する写真に収められた人物や行事と関連した音声や動画を観賞することにより、写真に収められた人物や行事を鮮明に回顧することができる。
【０００９】
請求項２記載の発明は、表表紙と裏表紙と中表紙とが折り畳み可能に連結されて、写真を収容するアルバムにおいて、前記裏表紙の裏面に装着され、開口部を有する所定厚みの本体部と、前記表表紙の裏面、前記中表紙の裏面及び前記本体部の表面にそれぞれ貼付された写真と、前記開口部を介して露出する動画表示部を備え、前記本体部内に収容され、前記写真に収められた人物又は行事に関連する音声及び動画を前記開口部を介して再生可能な動画再生装置と、を備えているアルバムを提供する。
【００１０】
この構成によれば、アルバムの閲覧者は、表表紙、中表紙及び本体部に収容された写真と共に、動画再生装置が再生する写真に収められた人物や行事と関連した音声や動画を観賞することにより、写真に収められた人物や行事を鮮明に回顧することができる。
【発明の効果】
【００１１】
本発明は、アルバムの閲覧者は、動画再生装置が再生する写真に収められた人物や行事と関連した音声や動画を写真と共に観賞することにより、写真に収められた人物や行事を鮮明に回顧することができる。
【図面の簡単な説明】
【００１２】
【図１】本発明の一実施例に係るアルバムを示す模式図。
【図２】動画再生装置を示すブロック図。
【発明を実施するための形態】
【００１３】
本発明は、写真に収められた人物や行事を回顧する上で十分な情報量を備えたアルバムを提供するという目的を達成するために、表表紙と裏表紙とが折り畳み可能に連結されて、写真を収容するアルバムにおいて、裏表紙の裏面に装着され、開口部を有する所定厚みの本体部と、表表紙の裏面及び本体部の表面にそれぞれ貼付された写真と、開口部を介して露出する動画表示部を備え、本体部内に収容され、写真に収められた人物又は行事に関連する音声及び動画を再生可能な動画再生装置と、を備えていることにより実現した。
【００１４】
また、本発明は、写真に収められた人物や行事を回顧する上で十分な情報量を備えたアルバムを提供するという目的を達成するために、表表紙と裏表紙と中表紙とが折り畳み可能に連結されて、写真を収容するアルバムにおいて、裏表紙の裏面に装着され、開口部を有する所定厚みの本体部と、表表紙の裏面、中表紙の裏面及び本体部の表面にそれぞれ貼付された写真と、開口部を介して露出する動画表示部を備え、本体部内に収容されて、写真に収められた人物又は行事に関連する音声及び動画を再生可能な動画再生装置と、を備えていることにより実現した。
【実施例】
【００１５】
以下、本発明の一実施例に係るアルバム１について、図面に基づいて説明する。図１は、アルバム１を示す模式図である。図２は、動画再生装置５を示すブロック図である。
【００１６】
アルバム１は、三つ折りタイプであり、表表紙２と、中表紙３と、裏表紙４と、を備えている。裏表紙４上に中表紙３、表表紙２をこの順で重ねることにより、アルバム１は収まり良く折り畳まれる。
【００１７】
表表紙２と裏表紙４とは、所定間隔を空けて設けられた折り線５、５を介して連結されている。折り線５、５の間隔は、中表紙３の厚み及び本体部７の厚みに応じて設定されている。
【００１８】
中表紙３と裏表紙４とは、所定間隔を空けた設けられた折り線６、６を介して連結されている。折り線６、６の間隔は、後述する本体部７の厚みに応じて設定されている。
【００１９】
裏表紙４の裏面４ａには、平面視で矩形状に形成された本体部７が装着されている。本体部７は、内部に図示しない収容空間が確保された枠部分７ａと、枠部分７ａ上に設けられて収容空間を覆う蓋部分７ｂと、を備えている。本体部７の厚みは、枠部分７ａの高さに略一致している。
【００２０】
枠部分７ａは、裏表紙４の裏面４ａに貼着されている。枠部分７ａの収容空間の大きさは、後述する動画再生装置９が収容可能な程度に設定されている。蓋部分７ｂは、枠部分７ａ上に貼着されている。
【００２１】
蓋部分７ｂには、一部を切り欠いて形成された開口部７ｃが形成されている。開口部７ｃは、収容空間に連通されている。開口部７ｃの開口面積は、少なくとも後述する動画表示部９ｄが露出される程度に確保されれば良い。なお、枠部分７ａと蓋部分７ｂとは、一体に形成されたものであっても構わない。
【００２２】
表表紙２の裏面２ａ、中表紙３の裏面３ａ及び本体部７の表面７ｄには、記念写真８が貼付されている。記念写真８は、例えば、お宮参り、七五三、入学式、成人式、冠婚葬祭等の行事に際して撮影された個人写真、集合写真、風景写真等である。なお、記念写真８は、表表紙２、中表紙３及び本体部７の全てに貼付されたものに限定されず、それらのうち一部に貼付されても構わない。
【００２３】
本体部７の収容空間内には、動画再生装置９が収容されている。動画再生装置９は、記憶部９ａと、入力部９ｂと、制御部９ｃと、動画表示部９ｄと、スピーカー９ｅと、を備えている。動画再生装置９は、図示しない取り外し可能な内蔵バッテリーを備えており、長期間に亘って安全に使用できる。
【００２４】
動画再生装置９は、図示しない外部機器とＵＳＢケーブルを介して接続可能である。なお、ＵＳＢケーブルは、汎用品とは異なり極性変更を行い、音声データ及び動画データの安易な入れ替えや流出を防ぐ専用ＵＳＢケーブルである。外部機器に保存された音声データ及び動画データは、ＵＳＢケーブルを介して動画再生装置９に転送された後に記憶部９ａに保存される。
【００２５】
入力部９ｂは、動画再生装置９の表面に配置された電源ボタン、再生ボタン、早送りボタン、巻き戻しボタン及び音量調整ボタン等である。
【００２６】
制御部９ｃは、閲覧者の入力部９ｂへの入力操作に応じて、記憶部９ａに保存された動画データを動画表示部９ｄに表示すると共に、音声データをスピーカー９ｅから出力する。動画再生装置９は、動画表示部９ｄが開口部７ｃから露出するように本体部７内に収容されており、閲覧者は、開口部７ｃを介して動画表示部９ｄに表示される動画を観賞することができる。
【００２７】
動画再生装置９が表示する動画や音声は、記念写真８に収められた人物や行事に関連するものであり、例えば、記念写真８が故人の葬儀の祭壇写真であれば、動画再生装置６は、葬儀の様子を収録した動画及び音声を再生する。また、記念写真８が結婚式の集合写真であれば、動画再生装置９は、結婚式の様子を収録した動画及び音声を再生する。
【００２８】
なお、本発明に係るアルバムは上述した三つ折りタイプに限定されず、例えば、表表紙と裏表紙とで構成されたブックタイプや、表表紙と裏表紙との間に台紙が綴じられたブックタイプ等であっても構わない。
【００２９】
このようにして、本実施例に係るアルバム１は、動画再生装置９が記念写真８に収められた人物や行事と関連した音声や動画を再生することにより、アルバムの閲覧者は、記念写真８に収められた人物や行事を鮮明に回顧することができる。
【００３０】
なお、本発明は、本発明の精神を逸脱しない限り種々の改変をなることができ、そして、本発明が該改変されたものにも及ぶことは当然である。
【符号の説明】
【００３１】
１  ・・・  アルバム
２  ・・・  表表紙
３  ・・・  中表紙
４  ・・・  裏表紙
５  ・・・  折れ線
６  ・・・  折れ線
７  ・・・  本体部
８  ・・・  記念写真
９  ・・・  動画再生装置
【図１】
2017024341.tif 000003
【図２】
2017024341.tif 000004